Podtech/llm-jp-corpus-v4-ja_patent huggingface dataset:
(57)【要約】【課題】  従来洗濯物を屋外乾燥する際に、雨、風、などの自然環境の変化に迅速に対応出来ない。又、花粉飛来には花粉症者は、屋外に出せない。鳩など鳥類の糞が付着・カメムシ・蛾など虫が中に紛れ込み不愉快な思いをする。女性に於いては、下着泥棒になど、人目に触れる所には下着を干せない。日焼けする物は陰干ししなくては成らない。これらの理由により屋外で安心して自然乾燥を容易には困難である。【解決手段】  発明の洗濯物の乾燥箱は、１０洗濯物を屋外設置用に樹脂又はガラスなどで構成された１箱に収納して外気及び箱外と遮断して雨・風・夜露・砂塵から保護する。同じく鳥の糞・虫の衣類内への紛れ込み花粉の付着を防ぐ。箱に１２施錠機能を持たす事により盗難防止する事も出来る。又、１箱に着色する事で内部が見えにくくなり人目を気にすることもなくなり、これにより色あせを防ぎ陰干しの必要も無くなる効果が出る。【選択図】図５
2005348864.tif 000002
【特許請求の範囲】
【請求項１】
屋外洗濯物の乾燥箱（ケース）において、洗濯物を樹脂製板・布・ビニール等の化学シート又はガラス等を箱状（ケース）にして収納し、外部とを遮断して洗濯物を保護して乾燥出来る乾燥箱（ケース）
【請求項２】
前記屋外洗濯物の乾燥箱（ケース）において、樹脂又はガラス等を透明・不透明又は半透明に着色した乾燥箱（ケース）
【請求項３】
前記屋外洗濯物の乾燥箱（ケース）において、上面に扉を有し洗濯物を上面より出し入れ出来る乾燥箱（ケース）
【請求項４】
前記屋外洗濯物の乾燥箱（ケース）において、内部上部に穴を有し、ハンガーなどの洗濯物乾燥用具を引っ掛ける事の出来る乾燥箱（ケース）
【請求項５】
前記屋外洗濯物の乾燥箱（ケース）において、湿気の逃がし口を有し湿気を箱外に放出出来る乾燥箱（ケース）
【請求項６】
前記屋外洗濯物の乾燥箱（ケース）において、風、雨、直射日光等の自然環境の変化に耐えうる事が出来る樹脂製の乾燥箱（ケース）
【請求項７】
前記屋外洗濯物の乾燥箱（ケース）において、内部の下部に排水口を有し内部の水を排水する事の出来る乾燥箱（ケース）
【請求項８】
前記屋外洗濯物の乾燥箱（ケース）において、下部に金具などの足を設け転倒を防止出来る乾燥箱（ケース）
【請求項９】
前記屋外洗濯物の乾燥箱（ケース）において、扉又はふたに施錠が出来る乾燥箱（ケース）
【請求項１０】
前記屋外洗濯物の乾燥箱（ケース）において、左右に取っ手を設け容易に移動可能な乾燥箱（ケース）
【発明の詳細な説明】
【技術分野】
【０００１】
本発明は、洗濯物を屋外にて乾燥する時に、洗濯物を自然環境（雨、風など）及び盗人より保護し安心して24時間使用可能であり、独立して移動することや設置を簡素化できる洗濯物の乾燥箱に関するもの。
【背景技術】
【０００２】
洗濯物の屋外乾燥時には、自然環境の変化（にわか雨）などに従来は人手により屋内に入れるなどの対応しなければ成らなく又、花粉症の患者とか雨の日には衣服は室内及び他の方法で乾燥しなければならない。他にも鳥の糞及び虫の付着害もあり、近年は下着など盗難も多発している。本発明は、これらの課題に対して屋外にて簡単に安心して乾燥を行うことを目的とした洗濯物の乾燥箱である。
【０００３】
【特許文献１】特許公開２００３−２３０７９８号公報
【０００４】
【特許文献２】特許公開２００２−２３３６９３号公報
【特許文献３】特許公開２００１−３２１６００号公報
【特許文献４】特許公開２００１−１３０９７７号公報
【特許文献５】特許公開２０００−２１８０９１号公報
【特許文献６】特許公開２０００−１２２６４９４号公報
【特許文献７】特許公開２０００−０４２２９５５号公報
【特許文献８】特許公開平１１−３５０６８８号公報
【特許文献９】特許公開平１１−３５０６８８号公報
【特許文献１０】特許公開平０９−２９９６９０号公報
【特許文献１１】特許公開平０９−２９００９４号公報
【発明の開示】
【発明が解決しようとする課題】
【０００５】
従来洗濯物を自然乾燥（屋外）する際に、にわか雨で濡らしたり、風に飛ばされたり、夜露で湿らすなど自然環境の変化に迅速に対応出来ていない。又花粉症の患者に於いては花粉飛来時期には洗濯物を屋外に出せない。鳩など鳥類の糞が付着して洗濯し直し、カメムシ・蛾など虫が衣服の中に紛れ込み不愉快な思いをする。女性に於いては下着泥棒に対処しなければ成らない。又、人目に触れる所には下着を干すことが出来にくい、日差しに弱く日焼けする衣類などは別に陰干ししなくては成らなくて、屋外で自然乾燥を安心して容易には出来ない。
【課題を解決するための手段】
【０００６】
発明の洗濯物の乾燥箱は、洗濯物を屋外設置用に樹脂又はガラスなどで構成された１箱（ケース）に収納して外気及び箱外と遮断すること、１箱（ケース）に１２施錠機能を持たすこと、箱（ケース）に不透明な色を着色することで解決する。
【発明の効果】
【０００７】
発明の洗濯物の乾燥箱は、洗濯物を屋外設置の樹脂又はガラスなどで構成された１箱（ケース）に収納して外気及び箱外と遮断することにより雨・風・夜露・砂塵から保護され、同じく鳥の糞・虫の衣類内への紛れ込みや花粉の付着を防ぐ。１箱（ケース）に１２施錠機能を持たす事により盗難防止する事も出来る。又、１箱（ケース）に着色する事などで内部が見えにくくして人目を気にすることもなくなり、この機能により直射日光による日焼け・色あせを防ぎ陰干しの必要も無くなる。
【発明を実施するための最良の形態】
【０００８】
発明の洗濯物の乾燥箱は、半透明に着色されたアクリル板もしくはガラス板で成型した１箱（ケース）で、外寸は、間口１ｍ〜１.６ｍ、高さ１ｍ〜１.２ｍ、奥行き０.４ｍ〜０.６ｍとする。前面上部から天井部にかけて３扉（ふた）を取付けて１０洗濯物を９ハンガーなどに掛けたまま上部より出し入れの機能を持たし、内部上部にハンガー等の引っ掛け用の５穴２０ミリ程度を拾数個設ける。底部に転倒防止用の４足を左右に伸ばし１ミリ程度の穴を拾数個設けて内部に溜まる水を外部へ排水させる６排水口。８側面の左右を開口して３から４センチ浮かして蓋機能を持たし下部を開放して内部の１１湿気を２逃がす口と移動時の取っ手を兼用させる。
【実施例】
【０００９】
本発明の一実施事例を図５で解説、本発明の洗濯物乾燥1箱（ケース）を屋外の日当たりの良い場所に４足を伸ばして転倒しないように設置する、上部の３扉を開けて日常の下着等の１０洗濯物を９ハンガーに掛けたまま内部の５穴に９ハンガーを引っ掛ける、３扉を閉めて盗難の恐れが有る場合には施錠穴に１２錠前を取り付けて１０洗濯物を自然乾燥さす。
【図面の簡単な説明】
【００１０】
【図１】本発明の正面図。
【図２】本発明の側面図。
【図３】本発明の上面図。
【図４】本発明の湿気抜き兼トッテ図
【図５】本発明の使用例図
【符号の説明】
【００１１】
１  乾燥箱本体
２  湿気抜き兼移動用トッテ
３  扉（蓋）
４  転倒防止足
５  乾燥具引っ掛け穴
６  排水穴
７  扉ヒンジ
８  本体側板
９  ハンガー
１０  洗濯物
１１  湿気
１２  錠前
【図１】
2005348864.tif 000003
【図２】
2005348864.tif 000004
【図３】
2005348864.tif 000005
【図４】
2005348864.tif 000006
【図５】
2005348864.tif 000007
(57)【要約】【課題】  浮遊容量を発生させないことにより、キャパシタ特性の精度を向上させることのできる多層配線板を提供する【解決手段】  多層配線板において上下に連続して重なり合う２つの層の下層に形成された第１電極と、前記２つの層の上層の内部に誘電体を挟んで前記第１電極と平行に形成された第２電極とからなるキャパシタを備える多層配線板において、下層の下の層に形成された回路パターンへ、第１電極からの層間接続導体を接続し、上層に形成された回路パターンへ、第２電極からの層間接続導体を接続する。【選択図】    図１
2005310895.tif 000002
【特許請求の範囲】
【請求項１】
多層配線板において上下に連続して重なり合う２つの層の下層に形成された第１電極と、
前記２つの層の上層の内部に誘電体を挟んで前記第１電極と平行に形成された第２電極と、
からなる内蔵キャパシタを備える多層配線板であって、
前記下層の下の層に形成された回路パターンへ、前記第１電極からの層間接続導体を接続し、
前記上層に形成された回路パターンへ、前記第２電極からの層間接続導体を接続した
ことを特徴とする多層配線板。
【発明の詳細な説明】
【技術分野】
【０００１】
本発明は、多層化されたプリント基板などの多層配線板に関する。
【背景技術】
【０００２】
従来、プリント基板上において、抵抗やキャパシタやコイルやＩＣチップなどの回路構成部品を薄い銅線などによって接続し電子回路を構成する技術が存在する。そして近年、プリント基板上の電子回路をより高密度にすることが要求されており、プリント基板を多層化して各層に電子回路を構成し各層をビアなどを用いて結線した多層配線板が多く利用されている。なお、多層配線板の技術として特許文献１が公開されている。
【特許文献１】特開平５−２３５５５４号公報
【発明の開示】
【発明が解決しようとする課題】
【０００３】
ここで、従来、多層配線板に内蔵されるキャパシタは、図２に示すように２つの絶縁層の上層側の上部電極２が、下層の下の層に形成された回路パターンの接地導体層４にビアなどにより接続され、また下部電極１が上層に形成された回路パターンにビアなどにより接続されている。しかし、図２のようなキャパシタの構成であると、下部電極と接地導体層４との間の電位差によって、当該下部電極１と接地導体層４の間に浮遊容量が発生してしまう。そして、この浮遊容量により内蔵キャパシタの自己共振周波数が低下するという問題があった。特に、絶縁層が薄い場合やその絶縁層の誘電率が高い材質の場合には、浮遊容量の影響が顕著になり、キャパシタの特性劣化が大きくなる。
【０００４】
そこでこの発明は、浮遊容量を発生させないことにより、キャパシタ特性の精度を向上させることのできる多層配線板を提供することを目的としている。
【課題を解決するための手段】
【０００５】
本発明は、上述の課題を解決すべくなされたもので、多層配線板において上下に連続して重なり合う２つの層の下層に形成された第１電極と、前記２つの層の上層の内部に誘電体を挟んで前記第１電極と平行に形成された第２電極とからなる内蔵キャパシタを備えた多層配線板であって、前記下層の下の層に形成された回路パターンへ、前記第１電極からの層間接続導体を接続し、前記上層に形成された回路パターンへ、前記第２電極からの層間接続導体を接続したことを特徴とする多層配線板である。
【発明の効果】
【０００６】
本発明によれば、第１電極と多層配線板において上下に連続して重なり合う２つの層の下層の下の層に形成された回路パターンとの間に電位差が生じなくなる。このため、第１電極と多層配線板において上下に連続して重なり合う２つの層の下層の下の層に形成された回路パターンとの間に浮遊容量が発生することが無くなり、自己共振周波数の低減を防止することができる。つまり、容量精度及び周波数特性の良好な内蔵キャパシタを備えた多層配線板を製造することができるという効果が得られる。
【発明を実施するための最良の形態】
【０００７】
以下、本発明の一実施形態による多層配線板を図面を参照して説明する。図１は同実施形態の多層配線板の構成を示すブロック図である。この図において、符号１は下部電極である。２は上部電極である。３は誘電体である。４は接地導体層である。５Ａ、５ｂはビアまたはスルーホール（層間接続導体）である。また６Ａ、６Ｂは絶縁層である。
【０００８】
そして、図１の多層配線板は、連続する２つの上下の絶縁層（上層６Ａ、下層６Ｂ）を示している。まず、下層の表面に回路パターンと一体の下部電極１が形成されている。また上層の内部に下部電極１と平行して上部電極２が形成されている。なお下部電極１と上部電極２とは誘電体３を挟んで隔てており、また上部電極２には回路パターンが一体化されている。そして、下部電極１と上部電極２と誘電体３で内蔵キャパシタを構成している。
【０００９】
また、図１の多層配線板においては、内蔵キャパシタの上部電極２に一体化された回路パターンは上層に形成された回路パターンとビア５Ａを介して接続される。また内蔵キャパシタの下部電極２に一体化された回路パターンは下層の下の層に形成された回路パターンの接地導体層４にビア５Ｂを介して接続される。
【００１０】
そして、図１の多層配線板の構成により、内蔵キャパシタの下部電極１と接地導体層４との間は、ビア５Ｂによって接続されるので、電位差が生じなくなる。このため、下部電極１と接地導体層４との間に浮遊容量が発生することが無くなり、自己共振周波数の低減を防止することができる。つまり、容量精度及び周波数特性の良好な内蔵キャパシタを備える多層配線板を製造することができるようになる。
【図面の簡単な説明】
【００１１】
【図１】本発明の一実施形態による多層配線板の構成を示す図である。
【図２】従来の多層配線板の構成を示す図である。
【符号の説明】
【００１２】
１・・・下部電極
２・・・上部電極
３・・・誘電体
４・・・接地導体層
５Ａ、５Ｂ・・・ビア
６・・・絶縁層
６Ａ・・・絶縁層（上層）
６Ｂ・・・絶縁層（下層）
【図１】
2005310895.tif 000003
【図２】
2005310895.tif 000004